(57)【特許請求の範囲】
【請求項１】
ドアに取付けられるドアクローザー本体と、ドアクローザー本体に揺動自在に枢支されるレバーと、前記レバーに回転自在に枢支されるアームと、壁に取り付けられ、前記アームを揺動自在に枢支する壁固定用ステーとを備え、回転するドアを閉じる方向に付勢するためのドアクローザーに於いて、
ドアが所定角度開いたことを検知する第１センサーと、所定時間を計測するタイマーと、ドアをロックすると共に、ドアのロックを解除するロック・解除手段と、前記タイマーと前記ロック・解除手段を制御する制御回路と、を備えたドアクローザーであって、
前記ロック・解除手段は、前記ドアクローザー本体上端に組み込まれ、前記ロック・解除手段のボールがバネ、又は、前記バネ及びソレノイドによる付勢により前記ロック・解除手段から突設し、前記ボールが前記レバーに形成された凹部内に嵌入するように構成され、前記ボールが前記バネと前記ソレノイドによる付勢を受ける時、前記ボールの前記凹部からの離脱が規制されてドアをロックし、前記ボールが前記バネのみによる付勢を受ける時、前記ドアクローザーの付勢又はドアの自重によるドアの回転により前記ボールが前記凹部から離脱し、ドアをロックしないように又はロック解除するように構成され、
前記制御回路は、
前記第１センサーから検知信号を受信すると、前記ソレノイドを付勢して前記ロック・解除手段にドアをロックさせると共に、前記タイマーに所定の第１時間を計測させ、前記タイマーの所定の第１時間計測終了信号を受信すると、前記ソレノイドの付勢を解放し、前記ロック・解除手段にドアのロックを解除させるように制御する手段と、
予め、前記制御回路が前記タイマーのカウントを開始させないように設定された場合、前記第１センサーから検知信号を受信した時、前記ソレノイドを付勢して前記ロック・解除手段にドアをロックさせ、前記タイマーにカウントを開始させず、ドアのロックを維持させるように制御する手段と、
予め、前記制御回路が前記ソレノイドを励磁しないように設定された場合、前記第１センサーから検知信号を受信した時、前記ソレノイドを付勢せず、前記ロック・解除手段にドアをロックさせないように制御する手段とを備え、
操作手段によって前記制御回路の設定を変更することにより、「第１時間後にドアのロックを解除する制御」、「ドアのロックを維持する制御」、「ドアをロックさせない制御」のうちいずれか一つを選択自在に構成されたことを特徴とするドアクローザー。
【請求項２】
ドアに取付けられるドアクローザー本体と、ドアクローザー本体に揺動自在に枢支されるレバーと、前記レバーに回転自在に枢支されるアームと、壁に取り付けられ、前記アームを揺動自在に枢支する壁固定用ステーとを備え、回転するドアを閉じる方向に付勢するためのドアクローザーに於いて、
ドアが所定角度開いたことを検知する第１センサーと、所定時間を計測するタイマーと、ドアをロックすると共に、ドアのロックを解除するロック・解除手段と、前記タイマーと前記ロック・解除手段を制御する制御回路と、を備えたドアクローザーであって、
前記ロック・解除手段は、前記レバーに着脱自在に設けられ、前記ロック・解除手段のボールがバネ、又は、前記バネ及びソレノイドによる付勢により前記ロック・解除手段から突設し、前記アームに着脱自在に設けられるアッパーユニットに形成された凹部内に嵌入するように構成され、前記ボールが前記バネと前記ソレノイドによる付勢を受ける時、前記ボールの前記凹部からの離脱が規制されてドアをロックし、前記ボールが前記バネのみによる付勢を受ける時、前記ドアクローザーの付勢又はドアの自重によるドアの回転により前記ボールが前記凹部から離脱し、ドアをロックしないように又はロック解除するように構成され、
前記制御回路は、
前記第１センサーから検知信号を受信すると、前記ソレノイドを付勢して前記ロック・解除手段にドアをロックさせると共に、前記タイマーに所定の第１時間を計測させ、前記タイマーの所定の第１時間計測終了信号を受信すると、前記ソレノイドの付勢を解放し、前記ロック・解除手段にドアのロックを解除させるように制御する手段と、
予め、前記制御回路が前記タイマーのカウントを開始させないように設定された場合、前記第１センサーから検知信号を受信した時、前記ソレノイドを付勢して前記ロック・解除手段にドアをロックさせ、前記タイマーにカウントを開始させず、ドアのロックを維持させるように制御する手段と、
予め、前記制御回路が前記ソレノイドを励磁しないように設定された場合、前記第１センサーから検知信号を受信した時、前記ソレノイドを付勢せず、前記ロック・解除手段にドアをロックさせないように制御する手段とを備え、
操作手段によって前記制御回路の設定を変更することにより、「第１時間後にドアのロックを解除する制御」、「ドアのロックを維持する制御」、「ドアをロックさせない制御」のうちいずれか一つを選択自在に構成されたことを特徴とするドアクローザー。
【請求項３】
前記制御回路に報知手段を接続して設けると共に、ドアの閉状態を検知する第２センサーを接続して設け、前記制御回路は、前記タイマーの所定の第１時間計測終了信号を受信した時、前記タイマーに所定の第２時間を計測させ、前記タイマーの所定の第２時間計測終了信号を受信した時、前記第２センサーから、ドアの閉状態を検知する信号を受信しない時、前記報知手段を鳴動させるように制御する手段を備えていることを特徴とする請求項１又は２記載のドアクローザー。
【請求項４】
前記制御回路は、前記第１センサーの検知信号を受信すると前記報知手段を前記鳴動と異なる音で鳴動させ、前記第２センサーの検知信号を受信開始した時、前記報知手段を前記鳴動と異なる音で鳴動させるように制御する手段を備えていることを特徴とする請求項３に記載のドアクローザー。
【請求項５】
前記第１センサーは、ドア開状態の時の前記レバー位置の下方の前記ドアクローザー本体上部に設けられ、前記第２センサーは、ドア閉状態の時の前記レバー位置の下方の前記ドアクローザー本体上部に設けられていることを特徴とする請求項３又は４記載のドアクローザー。
【発明の詳細な説明】
【技術分野】
【０００１】
本発明は、ドアを閉じる方向に付勢するためのドアクローザーに関し、特に、ドアを開いた時に、ドアの作動をロックすると共に、所定時間経過後にロックを解除してドアを自動的に閉じることができるドアクローザーに関する。
【背景技術】
【０００２】
近年、ドアを自動的に閉じることができると共に、ドアを全開した時は、ドア全開状態でロックするドアクローザーが広く普及している。
【０００３】
このドアクローザーは、ドアを全開した時、ドア全開状態でロックするので、ドア通過後、手動でドアを閉じなければならなかった。
【０００４】
特に、荷物等の搬入時等、両手がふさがっている場合は、ドア通過後、手動でドアを閉じる作業は、煩雑であり、この煩雑な作業を回避することが望まれている。又、ドアを閉じることを失念する虞もあり、ドアを閉じない状態で長時間放置することは、セキュリティ上問題である。
【０００５】
尚、ドアクローザーの先行技術として、例えば、特許文献１が挙げられる。特許文献１は、火災時等に於いて、感知器による直流モーターに設けた偏芯カムと別のリンク機構の作動により、ドアクローザーの腕杆枢着軸の下端に設けた閉止カムとロックする球体を嵌脱自在に動かして、開放停止中の扉を閉鎖するようにしたものである。
【特許文献１】特開平８−１２６７１４号公報
【発明の開示】
【発明が解決しようとする課題】
【０００６】
前述したように、ドアを全開した時、ドア全開状態でロックするドアクローザーに於いて、ドア通過後、手動でドアを閉じる作業を回避することが望まれている。
前述の望みを達成するために、例えば、ドア通過後、一定時間後に、自動でドアを閉じる機構をドアクローザーに設けることが考えられる。
【０００７】
又、現代社会に於いてセキュリティは極めて重要な課題であり、そのため、セキュリティ設備（電子キー、バイオメトリクス認証など）を備えたドアが増加しているが、そのようなドアには殆どドアクローザーが使用され、ドアクローザーを用いたドアは増加しており、前述した要望が次第に強くなってきている。
【０００８】
尚、前記特許文献１は、火災時等に於いて、感知器の作動により開放停止中の扉を閉鎖するものであるが、ドア通過後、一定時間後に、自動でドアを閉じる機構ではない。
【０００９】
以上の現状に鑑み、本発明は、ドアを閉じる方向に付勢するためのドアクローザーに於いて、ドアを開いた時に、ドアの作動をロックすると共に、所定時間経過後にロックを解除してドアを自動的に閉じることができる簡素、且つ、安価なドアクローザーを提供することを目的とする。
【課題を解決するための手段】
【００１０】
上記の課題を解決すべく、本発明は以下の構成を提供する。
請求項１に係る発明は、ドアに取付けられるドアクローザー本体と、ドアクローザー本体に揺動自在に枢支されるレバーと、前記レバーに回転自在に枢支されるアームと、壁に取り付けられ、前記アームを揺動自在に枢支する壁固定用ステーとを備え、回転するドアを閉じる方向に付勢するためのドアクローザーに於いて、
ドアが所定角度開いたことを検知する第１センサーと、所定時間を計測するタイマーと、ドアをロックすると共に、ドアのロックを解除するロック・解除手段と、前記タイマーと前記ロック・解除手段を制御する制御回路と、を備えたドアクローザーであって、
前記ロック・解除手段は、前記ドアクローザー本体上端に組み込まれ、前記ロック・解除手段のボールがバネ、又は、前記バネ及びソレノイドによる付勢により前記ロック・解除手段から突設し、前記ボールが前記レバーに形成された凹部内に嵌入するように構成され、前記ボールが前記バネと前記ソレノイドによる付勢を受ける時、前記ボールの前記凹部からの離脱が規制されてドアをロックし、前記ボールが前記バネのみによる付勢を受ける時、前記ドアクローザーの付勢又はドアの自重によるドアの回転により前記ボールが前記凹部から離脱し、ドアをロックしないように又はロック解除するように構成され、
前記制御回路は、
前記第１センサーから検知信号を受信すると、前記ソレノイドを付勢して前記ロック・解除手段にドアをロックさせると共に、前記タイマーに所定の第１時間を計測させ、前記タイマーの所定の第１時間計測終了信号を受信すると、前記ソレノイドの付勢を解放し、前記ロック・解除手段にドアのロックを解除させるように制御する手段と、
予め、前記制御回路が前記タイマーのカウントを開始させないように設定された場合、前記第１センサーから検知信号を受信した時、前記ソレノイドを付勢して前記ロック・解除手段にドアをロックさせ、前記タイマーにカウントを開始させず、ドアのロックを維持させるように制御する手段と、
予め、前記制御回路が前記ソレノイドを励磁しないように設定された場合、前記第１センサーから検知信号を受信した時、前記ソレノイドを付勢せず、前記ロック・解除手段にドアをロックさせないように制御する手段とを備え、
操作手段によって前記制御回路の設定を変更することにより、「第１時間後にドアのロックを解除する制御」、「ドアのロックを維持する制御」、「ドアをロックさせない制御」のうちいずれか一つを選択自在に構成されたことを特徴とするドアクローザーを提供するものである。
【００１３】
請求項２に係る発明は、ドアに取付けられるドアクローザー本体と、ドアクローザー本体に揺動自在に枢支されるレバーと、前記レバーに回転自在に枢支されるアームと、壁に取り付けられ、前記アームを揺動自在に枢支する壁固定用ステーとを備え、回転するドアを閉じる方向に付勢するためのドアクローザーに於いて、
ドアが所定角度開いたことを検知する第１センサーと、所定時間を計測するタイマーと、ドアをロックすると共に、ドアのロックを解除するロック・解除手段と、前記タイマーと前記ロック・解除手段を制御する制御回路と、を備えたドアクローザーであって、
前記ロック・解除手段は、前記レバーに着脱自在に設けられ、前記ロック・解除手段のボールがバネ、又は、前記バネ及びソレノイドによる付勢により前記ロック・解除手段から突設し、前記アームに着脱自在に設けられるアッパーユニットに形成された凹部内に嵌入するように構成され、前記ボールが前記バネと前記ソレノイドによる付勢を受ける時、前記ボールの前記凹部からの離脱が規制されてドアをロックし、前記ボールが前記バネのみによる付勢を受ける時、前記ドアクローザーの付勢又はドアの自重によるドアの回転により前記ボールが前記凹部から離脱し、ドアをロックしないように又はロック解除するように構成され、
前記制御回路は、
前記第１センサーから検知信号を受信すると、前記ソレノイドを付勢して前記ロック・解除手段にドアをロックさせると共に、前記タイマーに所定の第１時間を計測させ、前記タイマーの所定の第１時間計測終了信号を受信すると、前記ソレノイドの付勢を解放し、前記ロック・解除手段にドアのロックを解除させるように制御する手段と、
予め、前記制御回路が前記タイマーのカウントを開始させないように設定された場合、前記第１センサーから検知信号を受信した時、前記ソレノイドを付勢して前記ロック・解除手段にドアをロックさせ、前記タイマーにカウントを開始させず、ドアのロックを維持させるように制御する手段と、
予め、前記制御回路が前記ソレノイドを励磁しないように設定された場合、前記第１センサーから検知信号を受信した時、前記ソレノイドを付勢せず、前記ロック・解除手段にドアをロックさせないように制御する手段とを備え、
操作手段によって前記制御回路の設定を変更することにより、「第１時間後にドアのロックを解除する制御」、「ドアのロックを維持する制御」、「ドアをロックさせない制御」のうちいずれか一つを選択自在に構成されたことを特徴とするドアクローザーを提供するものである。
【００１４】
請求項３に係る発明は、前記制御回路に報知手段を接続して設けると共に、ドアの閉状態を検知する第２センサーを接続して設け、前記制御回路は、前記タイマーの所定の第１時間計測終了信号を受信した時、前記タイマーに所定の第２時間を計測させ、前記タイマーの所定の第２時間計測終了信号を受信した時、前記第２センサーから、ドアの閉状態を検知する信号を受信しない時、前記報知手段を鳴動させるように制御する手段を備えていることを特徴とする請求項１又は２記載のドアクローザーを提供するものである。
【００１５】
請求項４に係る発明は、前記制御回路は、前記第１センサーの検知信号を受信すると前記報知手段を前記鳴動と異なる音で鳴動させ、前記第２センサーの検知信号を受信開始した時、前記報知手段を前記鳴動と異なる音で鳴動させるように制御する手段を備えていることを特徴とする請求項３に記載のドアクローザーを提供するものである。
【００１６】
請求項５に係る発明は、前記第１センサーは、ドア開状態の時の前記レバー位置の下方の前記ドアクローザー本体上部に設けられ、前記第２センサーは、ドア閉状態の時の前記レバー位置の下方の前記ドアクローザー本体上部に設けられていることを特徴とする請求項３又は４記載のドアクローザーを提供するものである。
【発明の効果】
【００１７】
本発明の請求項１記載の発明によれば、請求項１に係る発明は、ドアを閉じる方向に付勢するためのドアクローザーに於いて、ドアを開いた時に、ドアの作動をロックすると共に、所定時間経過後にロックを解除してドアを自動的に閉じることができる簡素、且つ、安価なドアクローザーを提供することができる。
又、ロック・解除手段は、ボールと、ボールを付勢するバネと、バネを押圧自在のロックピンと、ロックピンを出入させるソレノイドとを備えるので、ソレノイドを用いた簡素、且つ、安価なドアクローザーを提供することができる。
更に、ボールがバネとソレノイドによる付勢を受ける場合、ボールの凹部からの離脱が規制され、ボールが上記バネのみによる付勢を受ける時、ドアの自重及びドアクローザーの閉じる作用によるドアの回転によりボールが凹部から離脱するように構成されているので、ソレノイドによって、ボールを凹部内に圧接して、ドアを開けた状態でロックでき、又はボールを凹部から離脱させ、ドアを閉めることができる。
【００２０】
請求項２記載の発明によれば、請求項１記載の発明と同様な効果が期待できると共に、既存のドアクローザーに後付けすることができる。
【００２１】
請求項３記載の発明によれば、タイマーの所定の第２時間計測終了信号を受信した時、第２センサーから、ドアの閉状態を検知する信号を受信しない時、前記報知手段を鳴動させるように制御する手段を備えているので、請求項１又は２記載の発明の効果に加え、ドアクローザーの誤作動を報知することができる。
【００２２】
請求項４記載の発明によれば、制御回路は、第１センサーの検知信号を受信すると報知手段を上記鳴動と異なる音で鳴動させ、第２センサーの検知信号を受信開始した時、報知手段を前記鳴動と異なる音で鳴動させるように制御する手段を備えているので、請求項３に記載の発明の効果に加え、ドアが開いたこと、及び、ドアが閉じたことを知らせることができる。
【００２３】
請求項５記載の発明によれば、第１センサーは、ドア開状態の時のレバー位置の下方のドアクローザー本体上部に設けられ、第２センサーは、ドア閉状態の時のレバー位置の下方のドアクローザー本体上部に設けられているので、請求項３又は４記載の発明の効果に加え、第１センサーは、ドア開状態を確実に検知でき、第２センサーは、ドア閉状態を確実に検知できる。
【発明を実施するための最良の形態】
【００２４】
以下、実施例を示した図面を参照しつつ本発明の実施の形態を説明する。
図１に於いて、１は、本発明の第１実施形態のドアクローザーであり、ドアクローザー１は、ドア２に取付けられるドアクローザー本体３と、ドアクローザー本体３に揺動自在に枢支されるレバー４と、レバー４に回転自在に枢支されるアーム５と、壁６に取り付けられ、アーム５を揺動自在に枢支する壁固定用ステー７とを備え、更に、ドア２が開いたことを検知する第１センサー８と、所定時間を計測するタイマー（図示せず）と、ドア２をロックすると共に、ドア２のロックを解除するロック・解除手段９と、前記タイマーと前記ロック・解除手段９に接続され、前記第１センサー８の検知信号を受信すると、前記ロック・解除手段９にドア２をロックさせると共に、前記タイマーに所定の第１時間を計測させ、該タイマーの所定の第１時間計測終了信号を受信すると、前記ロック・解除手段９にドア２のロックを解除させるように制御する制御回路１０とを備えている。
【００２５】
又、前記ロック・解除手段９は、図２に示す如く、ボール２１と、ボール２１を付勢するバネ２２と、バネ２２を押圧自在のロックピン２３と、ロックピン２３を出入させるソレノイド２４とを備え、更に、ロック・解除手段９は、ドアクローザー本体３上端に組み込まれ、ロック・解除手段９のボール２１がロック・解除手段９の上端に突設し、ボール２１がレバー４下面に形成された凹部２５内に嵌入するように構成され、ボール２１が凹部２５内に嵌入した時、ボール２１がバネ２２とソレノイド２４による付勢を受ける場合、所定圧の付勢力によりボール２１が付勢され、それによって、ボール２１の凹部２５からの離脱が規制され、一方、ボール２１がバネ２２のみによる付勢を受ける時、比較的弱い付勢力によりボール２１が付勢されるため、ドア２の自重によるドア２の回転、又は、ドアクローザー１のドア２を閉める方向に働く作用によりボール２１が凹部２５から離脱するように構成されている。
【００２６】
更に、前記制御回路１０に図３に示す如く、報知手段であるブザー３１を接続して設けると共に、ドア２の閉状態を検知する第２センサー３２を接続して設け、前記制御回路１０は、前記タイマー３３の所定の第１時間計測終了信号を受信した時、タイマー３３に所定の第２時間を計測させ、タイマー３３の所定の第２時間計測終了信号を受信した時、第２センサー３２から、ドア２の閉状態を検知する信号を受信しない場合、前記ブザー３１を警報として鳴動させるように構成されている。
【００２７】
更に又、前記制御回路１０は、第１センサー８の検知信号を受信するとブザー３１を前記鳴動と異なる音（警報音ではなく例えば確認させるための確認音）で鳴動させてドアが開かれたことを報知し、第２センサー３２の検知信号を受信開始した時、前記ブザー３１を前記鳴動と更に異なる音（警報音ではなく例えば確認させるための確認音）で鳴動させ、ドア２が閉じたことを報知するように構成されている。但し、この場合に、ブザー３１を鳴動させないように設定することも可能である。
【００２８】
尚、前記第１センサー８は、図１に示す如く、ドア２開状態の時のレバー４位置の下方のドアクローザー本体３上部に設けられ、第２センサー３２は、ドア２閉状態の時の前記レバー４位置の下方の前記ドアクローザー本体３上部に設けられている。但し、前記第１センサー８及び第２センサー３２の取付け位置は一例であり、それに限定されるものではなく、所定の検知が行なえれば、他の位置に取り付けても良い。特に、第２センサー３２は、ドア２や、他の建築物等に取り付けることも可能である。
【００２９】
而して、前記ドアクローザー１がディレイロック動作を行なう場合の作動状態を図４に従って説明すると、先ず、手動でドア２を開け（ステップＳ１）、所定角度にドア２が開かれると第１センサー８がＯＮとなり（ステップＳ２）、ロックピン２３が上昇し（ステップＳ３）、図１及び５に示す如く、ドア２は所定位置に開かれた状態でロックされる（ステップＳ４）。即ち、図１に示すようにドア２は所定位置に開かれると、第１センサー８がレバー４を検知して、ドア２が所定位置に開かれたことを検知し、その信号を制御回路１０に伝送する。制御回路１０は、第１センサー８からの信号に基づき、ソレノイド２４を付勢して、ロックピン２３を突設させる。ロックピン２３の突設によりバネ２２が付勢され、バネ２２がボール２１を強く押圧する。ボール２１はドア２が所定位置に開かれた時、凹部２５内に嵌入しており、バネ２２に強く押圧されると、凹部２５内に圧接状態で嵌入し、ドア２が自重又はドアクローザー１のドア２の閉じる作用で回転する動きを規制する。
【００３０】
一方、前記制御回路１０は、第１センサー８からの信号に基づき、タイマー３３のカウントを開始させる（ステップＳ５）。
タイマー３３のカウント終了前に手動でドア２を閉じる方向に動かすと（ステップＳ６）、ボール２１がレバー４の凹部２５から外れ、レバー４が第１センサー８から離れ、第１センサー８がレバー４を検知出来なくなった時点で、第１センサー８の検知信号がＯＦＦになり（ステップＳ７）、検知信号がＯＦＦになったことに基づき、制御回路１０がソレノイド２４の付勢を解放し、ロックピン２３が下降し（ステップＳ８）、ドア２を閉じる方向に動かす手動の力、ドア２の自重及びドアクローザー１の閉じる作用により、図６に示す如くドア２が閉じる（ステップＳ９）。
【００３１】
又、タイマー３３のカウント終了前に手動でドア２を閉じなかった場合は（ステップＳ１０）、タイマー３３のカウント終了時に（ステップＳ１１）制御回路１０がソレノイド２４の励磁を停止することによりロックピン２３が下降し（ステップＳ８）、ドア２の自重及びドアクローザー１の閉じる作用により、ドア２が閉じる（ステップＳ９）。
【００３２】
斯くして、本発明のドアクローザー１は、ドア２を開いた時に、ドア２の作動をロックすると共に、所定時間経過後にロックを解除してドア２を自動的に閉じることができる簡素、且つ、安価なドアクローザーを提供することができる。又、所定時間経過前に、手動によって閉めることも可能である。
これにより、荷物等の搬入時等、両手がふさがっている場合は、ドア通過後、手動でドアを閉じる操作が不要となり、ドアは所定時間後に自動的に閉まるので、利便性が高まる。又、同様に、高齢者、子供、身体障害者、或いは、車椅子等を利用する身体障害者にとっても、極めて利便性の高いものとなる。更に、前述の特殊なケースに限らず、一般のドア通過者にとっても利便性は高い。
尚、前記タイマー３３の第１時間は、任意に設定可能である。
【００３３】
次に、前記ドアクローザー１が、ディレイロック動作を行なわず、ドア２が開放位置でロック状態を維持する場合について、図７に従って、説明する。尚、この場合、前記制御回路１０は、第１センサー８からの信号に基づき、タイマー３３のカウントを開始させないように予め設定される。
【００３４】
先ず、手動でドア２を開け、所定位置にドア２が開かれると（ステップＳ２１）、第１センサー８がＯＮとなり（ステップＳ２２）、ロックピン２３が上昇し（ステップＳ２３）、図１及び図５に示す如く、ドア２は所定位置に開かれた状態でロックされる（ステップＳ２４）。ドア２がロックされる状態は前述したとおりであるのでその詳細な説明は省略する。
そして、この場合、前記制御回路１０は、予め設定されたとおり、タイマー３３のカウントを開始させない。
従って、このまま何もしない状態では、ドア２は所定位置に開かれた状態でロックされた状態を維持する。
【００３５】
そこで、例えば、手動でドア２を閉じる方向に動かすと（ステップＳ２５）、ボール２１がレバー４の凹部２５から外れ、レバー４が第１センサー８から離れ、第１センサー８がレバー４を検知出来なくなった時点で、第１センサーの検知信号がＯＦＦになり（ステップＳ２６）、検知信号がＯＦＦになったことに基づき、制御回路１０がソレノイド２４の付勢を解放し、ロックピン２３が下降し（ステップＳ２７）、ドア２の自重及びドアクローザー１の閉じる作用により、ドア２が閉じる（ステップＳ２８）。
【００３６】
斯くして、本発明のドアクローザー１は、制御回路１０に予めセットしておくことにより、タイマー３３のカウントを開始させないことも可能であり、その場合、ドア２を開放状態で維持することができると共に、その場合に於いても手動でドア２を閉じることもできる。
【００３７】
次に、前記ドアクローザー１が、ロックフリー動作を行なう場合について、図８に従って、説明する。尚、この場合、前記制御回路１０は、ソレノイド２４を励磁させないように予め設定される。
【００３８】
先ず、手動でドア２を開け、所定位置にドア２が開かれた時（ステップＳ３１）、ソレノイド２４は励磁されないため、ロックピン２３は上昇せず（ステップＳ３２）、従って、ドア２は開かれた状態でロックされることもなく、ドア２の自重及びドアクローザー１の閉じる作用により、ドア２は閉じる（ステップＳ３３）。
【００３９】
斯くして、本発明のドアクローザー１は、ロックフリー状態にすることもできる。尚、本発明のドアクローザー１は、停電時に於いても、前述したロックフリー動作を行なうため、セキュリティー上も有効である。
【００４０】
又、前記ドアクローザー１にディレイロック動作、ロック動作、及び、ロックフリー動作を行なわせるため、ドアクローザー１の制御回路１０の設定を変更したが、この制御回路１０の設定を変更するために、図示は省略するが、操作しやすい場所、例えば、壁面等に操作スイッチを設けても良い。操作スイッチは、例えば、「ディレイロック」、「ロック」、及び、「ロックフリー」を選択できると共に、制御回路１０及びソレノイド２４の電源オンオフを行なえるように構成することができる。
【００４１】
或いは、前記ドアクローザー１にディレイロック動作、ロック動作、及び、ロックフリー動作を行なわせるため、タイマー３３の設定を変更するように構成しても良い。例えば、ロックフリー動作の場合は、タイマー３３の設定時間を０秒とし、ロック動作の場合は、タイマー３３の設定時間を６０秒以上とし、ディレイロック動作の場合は、０秒から６０秒の間の時間に設定する。そして、その設定を操作しやすい場所に設置した操作スイッチによって行なっても良い。
【００４２】
更に、前記ドアクローザー１にディレイロック動作、ロック動作、及び、ロックフリー動作を行なわせるために、前記第１センサー８及び第２センサー３２に加え、図示しない第３センサーを設けても良い。その場合、第３センサーは、例えば、第１センサー８がドア２の開いたことを検知する位置から更にドア２が若干開いた時に、検知信号を出力するように設けられる。そして、その設置位置は、第１センサー８の近傍でも良く、ドア２、壁６、レバー４の適宜位置でも良い。第３センサーが検知信号を出力すると、前記制御回路１０を介してロック動作が行なわれる。尚、この場合、第１センサー８及び第３センサーの検知信号が出力されない場合、即ち、ドア２が、第１センサー８及び第３センサーによって検知される位置まで開かれない場合は、ロックフリー動作が行なわれる。
【００４３】
次に、前述の図４に示すディレイロック動作に於いて、ステップ９でドア２が閉まらない場合に警報を鳴らす動作について、図９に従って、説明する。尚、この場合、前記タイマー３３に於いて、任意の第２時間が予め設定される。
【００４４】
図４に於けるタイマー３３の第１時間の計測が終了すると（ステップＳ１１）、制御回路１０の指示によりタイマー３３は図９に示す如く予め任意の時間に設定された第２時間の計測を開始し（ステップＳ４１）、タイマー３３が第２時間の計測を終了すると（ステップＳ４２）、制御回路１０は、第２センサー３２がＯＮ状態であるかどうかを確認し、第２センサー３２がＯＮでない場合（ステップＳ４３）、即ち、ドア２が閉じていない場合は、ブザー３１に警報を鳴動させる（ステップＳ４４）。尚、第２センサー３２がＯＮである場合は、ブザー３１の警報は発生させない。又、ブザー３１の警報音は、前述したドア２が開かれたことを報知する音、又は、ドアが閉じたことを報知する音とは異なる比較的大きな音にする。
【００４５】
斯くして、本発明のドアクローザー１は、ディレイロック動作に於いて、所定時間内にドア２が閉じなかった場合は、警報を鳴らして異常を知らせることができる。
【００４６】
尚、図９に示す異常時に警報を鳴らす動作は、例えば、図７に示すロック動作に於いて、ステップ２４の後に続けて設けても良く、その場合、ドア開状態でロックされた状態が所定時間以上続いた場合に警報を鳴らすことができる。
【００４７】
又、図９に示す異常時に警報を鳴らす動作は、例えば、図８に示すロックフリー動作に於いて、ステップＳ３１の後に続けて設けても良く、その場合、ドア２を開いた後、所定時間以上経過してもドア２が閉まらない場合に警報を鳴らすことができる。
【００４８】
尚、前述の説明に於いて、タイマー３３に第１時間、第２時間を設定したが、制御回路１０側に設定しておくように構成することも可能であり、又、タイマー３３を制御回路１０内に内蔵させることも可能である。
【００４９】
図１０及び図１１は、本発明の第２実施形態のドアクローザーであり、ドアクローザー４１は、前記第１実施形態のドアクローザー（図１に於いて１）のロック・解除手段（図１において９）に代えて、取付け位置の異なるロック・解除手段４２を設けたものであり、ロック・解除手段４２は、レバー４に、図１２に示す取付け部材であるロアーユニット４３を介して着脱自在に設けられ、図１３に示す如く、ロック・解除手段４２のボール２１がロック・解除手段４２の上端に突設して設けられ、図１４に示す如く、アーム５に着脱自在に設けられる取付け部材であるアッパーユニット４４の下面に形成された凹部２５内に、ボール２１が嵌入するように構成されている。尚、前記ロアーユニット４３、アッパーユニット４４は、ボルト等によって夫々レバー４、アーム５に着脱自在に取り付けられる。又、第１センサー８、第２センサー３２も適宜位置、例えば、第１センサー８はドアクローザー本体３に近いロアーユニット４３上面、第２センサー３２はドアクローザー本体３から比較的離れたロアーユニット４３上面に取り付けられる。
【００５０】
而して、ドアクローザー４１は、前記第１実施形態のドアクローザー（図１に於いて１）と同様に、ボール２１が凹部２５内に嵌入した時、ボール２１がバネ２２とソレノイド２４による付勢を受ける場合、ボール２１の凹部２５からの離脱が規制され、ボール２１がバネ２２のみによる付勢を受ける時、ドア２の自重によるドア２の回転によりボール２１が凹部２５から離脱するように構成されている。
【００５１】
斯くして、前記ドアクローザー４１に於いても、前記ドアクローザー１と同様の作用効果が期待できると共に、ドアクローザー４１は、既存のドアクローザーに後付けすることができる。更に、ロック・解除手段の取付け位置は、前記ロック・解除手段９、又は、ロック・解除手段４２の取付け位置に限定されず、他の場所に取り付けることも可能であり、然る時も、同様の効果が期待できる。
【図面の簡単な説明】
【００５２】
【図１】（ａ）本発明の第１実施例のドアクローザーの平面断面図である。（ｂ）前図（ａ）のドアクローザーのロック・解除手段の正面縦断面図である。
【図２】図１のドアクローザーのロック・解除手段の拡大正面縦断面図である。
【図３】図１のドアクローザーの電気回路の概略図である。
【図４】図１のドアクローザーのディレイロック動作の作動説明図である。
【図５】図１のドアクローザーのドアが開いた時の状態を示す一部切欠正面図である。
【図６】図１のドアクローザーのドアが閉じた時の状態を示す一部切欠正面図である。
【図７】図１のドアクローザーのロック動作の作動説明図である。
【図８】図１のドアクローザーのロックフリー動作の作動説明図である。
【図９】図１のドアクローザーの異常時の警報動作の作動説明図である。
【図１０】本発明の第２実施例のドアクローザーの平面断面図である。
【図１１】（ａ）図１０のドアクローザーの側面縦断面図である。（ｂ）図１０のドアクローザーの正面縦断面図である。
【図１２】（ａ）図１０のドアクローザーのロアーユニットの平面図である。（ｂ）図１２（ａ）の側面図である。（ｃ）図１２（ａ）のロアーユニットの一部切欠正面図である。
【図１３】図１０のドアクローザーのロック・解除手段の拡大正面縦断面図である。
【図１４】（ａ）図１０のドアクローザーのアッパーユニットの平面図である。（ｂ）図１４（ａ）の側面図である。（ｃ）図１４（ａ）のアッパーユニットの正面図である。
【符号の説明】
【００５３】
１，４１  ドアクローザー
２  ドア
３  ドアクローザー本体
４  レバー
５  アーム
６  壁
７  壁固定用ステー
８  第１センサー
９，４２  ロック・解除手段
１０  制御回路
２１  ボール
２２  バネ
２３  ロックピン
２４  ソレノイド
２５  凹部
３１  ブザー
３２  第２センサー
３３  タイマー
４４アッパーユニット
【図１】
0004677336.tif 000002
【図２】
0004677336.tif 000003
【図３】
0004677336.tif 000004
【図４】
0004677336.tif 000005
【図５】
0004677336.tif 000006
【図６】
0004677336.tif 000007
【図７】
0004677336.tif 000008
【図８】
0004677336.tif 000009
【図９】
0004677336.tif 000010
【図１０】
0004677336.tif 000011
【図１１】
0004677336.tif 000012
【図１２】
0004677336.tif 000013
【図１３】
0004677336.tif 000014
【図１４】
0004677336.tif 000015